(57)【要約】【課題】柱鉄筋等に親綱、親綱フック、安全帯フックを容易且つ迅速に安定した状態で取付けられる取付用具を提供する。【解決手段】略Ｖ字状に成形された枠体１の背部に、親綱取付用の長円孔を穿設したプレート２，２を突出させて設けると共に、枠体１の左右両開先部に挿通孔１ａ，１ａを穿設して、該挿通孔に、締付ボルト３，３を螺子着したプレート４，４が、片端部４ａ，４ａを着脱可能にして左右に移動自在に挿通されてなる柱鉄筋への親綱取付用具であり、前記プレート２，２の長円孔２ａ，２ａに親綱を取付けて張設する。【選択図】図１
0003127864.tif 000002
【実用新案登録請求の範囲】
【請求項１】
略Ｖ字状に成形された枠体の背部に、親綱取付用の長円孔を穿設したプレートを突出させて設けると共に、枠体の左右両開先部に挿通孔を穿設して、該挿通孔に、締付ボルトを螺子着したプレートが、片端部を着脱可能にして左右に移動自在に挿通されてなることを特徴とする柱鉄筋への親綱取付用具。
【請求項２】
締付ボルトを螺子着したプレートの別端部が、くの字状に成形され、該成形された端部にストッパーを設けてなることを特徴とする請求項１記載の柱鉄筋への親綱取付用具。
【請求項３】
締付ボルトが、プレートの面にナットを付着させて複数螺子着してなることを特徴とする請求項１又は請求項２記載の柱鉄筋への親綱取付用具。
【考案の詳細な説明】
【技術分野】
【０００１】
本考案は、柱鉄筋等に親綱、親綱フック、安全帯フックを容易且つ迅速に安定した状態で取付けられるようにした柱鉄筋への親綱取付用具に関するものである。
【背景技術】
【０００２】
鉄筋コンクリートの建築物等を施工するにおいては、足場を構築しないで作業を行なうことが多く、その際柱鉄筋に親綱を取付けて張設したり、安全帯フックを取付けたりして作業者の安全対策を講じているが、柱鉄筋に親綱を取付けたり、安全帯フックを取付けたりするのが容易且つ迅速に行なえないことや、安定した取付けが行えないことによる安全上の問題がある。
【０００３】
又、柱鉄筋に親綱や安全帯フックを取付けられるようにしたものとして、略Ｕ字形を成し、彎曲している基部を有する枠体に柱鉄筋を貫通させるための貫通路を形成して成る金具本体に固定用ねじを螺着し、貫通路内に挿通された柱鉄筋を固定用ねじの先端部で押して枠体の上端面と下端面に付着した平板部材に押し当てることにより柱鉄筋に固定し、略Ｕ字形の先端部に親綱を緊結するための取付孔を設けた柱鉄筋用親綱金物（特許文献１参照）が開示され、公知となっている。
【０００４】
【特許文献１】特開平１１−３０３４１２号公報
【考案の開示】
【考案が解決しようとする課題】
【０００５】
しかしながら、上記特許文献１に記載される技術によれば、略Ｕ字形の枠体の上端と下端とに平板部材が固着されて、該平板部材と枠体のＵ字溝部の間に柱鉄筋が挿通される貫通路が形成され、該貫通路に柱鉄筋を挿通して固定用ねじで締め付けることにより柱鉄筋に固定するようになっており、簡単且つ確実に取付けはできるが、柱鉄筋の端部から前記貫通路に挿通しなければならず、立設された柱鉄筋のどの高さ位置でも容易且つ迅速に着脱できなく、作業性の向上が図られない問題点を有する。
従って、本考案は、立設された柱鉄筋のどの高さ位置でも容易且つ迅速に着脱でき、安定した取付けのできる柱鉄筋への親綱取付用具を提供することを目的とし、該目的を達成することを課題とするものである。
【課題を解決するための手段】
【０００６】
上記目的を達成するために、本考案は以下に記載するような手段を講じてなる柱鉄筋への親綱取付用具とした。
（１）略Ｖ字状に成形された枠体の背部に、親綱取付用の長円孔を穿設したプレートを突出させて設けると共に、枠体の左右両開先部に挿通孔を穿設して、該挿通孔に、締付ボルトを螺子着したプレートが、片端部を着脱可能にして左右に移動自在に挿通されてなることを特徴とする柱鉄筋への親綱取付用具である。締付ボルトを螺子着したプレートの片端部を枠体の開先部の挿通孔より離脱させることにより、プレートは開閉自在となり、立設された柱鉄筋の横からの着脱ができて、どの高さ位置でも取付が容易且つ迅速に行なえる。
（２）締付ボルトを螺子着したプレートの別端部が、くの字状に成形され、該成形された端部にストッパーを設けてなることを特徴とする前項（１）記載の柱鉄筋への親綱取付用具である。締付ボルトを螺子着したプレートの別端部がくの字状に成形されることにより、前記プレートが開閉しやすく、くの字状に曲げた端部にストッパーを設けることにより挿通穴よりプレートが離脱しない。
（３）締付ボルトが、プレートの面にナットを付着させて複数螺子着してなることを特徴とする前項（１）又は（２）記載の柱鉄筋への親綱取付用具である。
プレート面にナットを付着させて締付ボルトを螺子着することにより、プレートに螺子加工できないような薄いプレートでも締付ボルトによる締め付けに有効な螺子部が得られる。
【考案の効果】
【０００７】
上記手段に記載する如く、略Ｖ字状に成形された枠体の背部に、親綱取付用の長円孔を穿設したプレートを突出させて設けると共に、枠体の左右両開先部に挿通孔を穿設して、該挿通孔に、締付ボルトを螺子着したプレートの片端部を着脱可能にして左右に移動自在に挿通されてなるから、締付ボルトを螺子着したプレートの片端部を挿通孔より離脱させることにより、プレートが開閉自在となり、立設された柱鉄筋の横から着脱ができて、どの高さ位置でも取付けが容易且つ迅速に行え、作業性の向上が図られる。
【０００８】
締付ボルトの締付けが、略Ｖ字状に成形した枠体の開先側部に作用しないから、枠体の開先部が開くおそれがなく、しっかりとクランプされた状態が保たれ、安全性の向上も図られる。
【０００９】
締付ボルトを螺子着したプレートは、移動・開閉は自在であるが、枠体から脱落することはなく、プレートの開閉、ボルトの締付けが容易且つ迅速に行える。
【００１０】
構造は、極めてシンプルなものであり、安価に製作できる。
【考案を実施するための最良の形態】
【００１１】
本考案を実施するための最良の形態を、以下に記載する実施例にて図面を参照して詳細に説明する。
【実施例１】
【００１２】
図１は、本考案の実施例を示す斜視図である。図示するように、本考案は、略Ｖ字状に形成された枠体１の背部に、親綱取付用の長円孔２ａ，２ａを穿設したプレート２，２を突出させて設けると共に、枠体１の左右両開先部には挿通孔１ａ，１ａ，・・・を穿設して、該挿通孔に、締付ボルト３，３を螺子着したプレート４，４が、片端部４ａ，４ａを着脱できるようにして左右に移動自在に挿通されている。
【００１３】
前記枠体１、プレート２，２、プレート４，４は、厚さがおおむね３〜４ｍｍ程度の圧延鋼板が使用され、枠体１の背部へのプレート２，２は溶接による接合としているが、これに限定されるものではない。枠体１とプレート２，２を鋳物やアルミダイカスト等により一体に成形しても良い。
【００１４】
又、前記プレート４，４の別端部４ｂ，４ｂは、くの字状に成形されており、くの字状に成形された端部にはストッパー５，５が設けてあり、挿通孔１ａ，１ａ，・・・に挿通させたプレート４，４のプレート面の略中央部には、ナット３ａ，３ａを付着させて締付ボルト３，３が螺子着されている。プレート面にナット３ａ，３ａを付着させて締付ボルト３，３を螺子着するのは、プレート４，４の板厚が、螺子締めするのに有効な螺子部が形成されない場合で、充分な厚さがある場合は、ナット３ａ，３ａを付着させる必要はない。
【００１５】
なお、前記プレート２、プレート４は、それぞれ２枚にての実施例であるが、使用状況に応じて図２に示すようにそれぞれ１枚にしても良く、親綱取付用の長円孔２ａは放射状や縦方向にしても良い。締付ボルト３は、柱鉄筋へ安定して取付け固定するには複数にするのが好ましい。親綱等の先端部に取付けられたフック等を迅速に引掛けて取付けるには図示するような長円孔２ａとするのが好ましい。
【００１６】
図３は、締付ボルト３を締め付けて柱鉄筋６に取付け固定した状態の図１の平面視断面図である。締付ボルト３をナット３ａにより螺子着したプレート４は、枠体１の左右両開先部に穿設された挿通孔１ａ，１ａに挿通された状態で締付ボルト３の先端と、略Ｖ字状に成形された枠体１の溝部１ｂとで、立設された柱鉄筋６の側面が押し付けられていて、略Ｖ字状に成形された枠体１の開先が開くようなことはなくしっかりと固定され、締付ボルト３を緩めると上下移動は自由となる。
【００１７】
図４は、締付ボルト３を螺子着したプレート４を開いた状態を示す図１の平面視断面図である。図３の状態で締付ボルト３を緩め、プレート４を右へ移動させてプレート４の片端部４ａを枠体１の挿通孔１ａより離脱させ、別端部４ｂのくの字状に成形された部分が別方の挿通孔１ａに位置する所で開くと、図４に示すような状態となり、この状態で立設された柱鉄筋６の横からの出入ができる。
【００１８】
前記プレート４は、片端部４ａが挿通孔１ａより離脱しても、別端部に設けられたストッパー５と、螺子着された締付ボルト３やプレート面に付着されたナット３ａに当って別方の挿通孔１ａより離脱することはない。プレート４の片端部４ａと別端部４ｂが挿通孔１ａ，１ａより離脱すると落下し、それを拾い上げて挿通孔１ａ，１ａに挿通して取付けるのも甚だ面倒である。
【００１９】
なお、前記プレート４の別端部に設けたストッパー５は、プレート片を溶接等で付着させているが、図５に示すようにピンを螺子立てしたストッパー５Ａにしても良い。そうすれば、ストッパー５Ａを緩めて取り外すことによりプレート４の別端部は、枠体１の別の挿通孔１ａより容易に取り外すことができ、プレート４のオーバーホール等に有用となる。
【００２０】
図６は、以上のようにしてなる本考案を、立設された柱鉄筋に取付け固定して親綱を張設した使用例を示す斜視図である。
略Ｖ字状に成形された枠体１の溝部１ｂと、プレート４，・・・に螺子着された締付ボルト３，・・・の先端で、立設された柱鉄筋６の側部が押し付けられて固定されており、親綱７，７は先端部に接続されたフック８，８を、プレート２，２の長円孔２ａ，２ａに引掛けることにより取付けられ、張設されている。
【００２１】
なお、親綱７，７は、プレート２，２の長円孔２ａ，２ａに直接結び付けて張設しても良く、又プレート２，２に穿設された長円孔２ａ，２ａには親綱のみならず、直接人体を保持する安全帯フック等を引掛けて使用しても良い。
【図面の簡単な説明】
【００２２】
【図１】本考案の実施例を示す斜視図である。
【図２】形態の異なる実施例を示す斜視図である。
【図３】柱鉄筋に取付け固定した状態の図１の平面視断面図である。
【図４】締付ボルトを螺子着したプレートを開いた状態の図１の平面視断面図である。
【図５】他のストッパー取付例を示す要部断面図である。
【図６】柱鉄筋に取付け固定し、親綱を取付けた使用例を示す斜視図である。
【符号の説明】
【００２３】
１  枠体
１ａ  挿通孔
１ｂ  溝部
２，４  プレート
２ａ  長円孔
３  締付ボルト
３ａ  ナット
４ａ  片端部
４ｂ  別端部
５，５Ａ  ストッパー
６  柱鉄筋
７  親綱
８  フック
【図１】
0003127864.tif 000003
【図２】
0003127864.tif 000004
【図３】
0003127864.tif 000005
【図４】
0003127864.tif 000006
【図５】
0003127864.tif 000007
【図６】
0003127864.tif 000008